(57)【要約】【課題】エアコンのフロンガス用配管内から空気を抜く真空引き作業を容易に行える携帯型真空ポンプ装置を提供する。【解決手段】携帯型真空ポンプ装置１は、エアコンのフロンガス用配管内から空気を抜く真空引き作業の際に使用するものである。携帯型真空ポンプ装置１は、吸気口部および排気口部を有する装置本体２を備える。装置本体２には回転体21を回転可能に設ける。回転体21のロータ軸23の装置本体２外に位置する軸方向端部には、電動ドライバ20を差し込む電動ドライバ差込口部24を形成する。【選択図】図１
2007170243.tif 000002
【特許請求の範囲】
【請求項１】
エアコンのフロンガス用配管内から空気を抜く真空引き作業の際に使用する携帯型真空ポンプ装置であって、
吸気口部および排気口部を有する装置本体と、
電動ドライバが差し込まれる電動ドライバ差込口部を有し、前記装置本体に回転可能に設けられた回転体と
を備えることを特徴とする携帯型真空ポンプ装置。
【請求項２】
回転体は、装置本体に回転可能に支持された回転軸を有し、
前記回転軸の前記装置本体外に位置する軸方向端部に電動ドライバ差込口部が形成されている
ことを特徴とする請求項１記載の携帯型真空ポンプ装置。
【発明の詳細な説明】
【技術分野】
【０００１】
本発明は、エアコンのフロンガス用配管内から空気を抜く真空引き作業の際に使用する携帯型真空ポンプ装置に関するものである。
【背景技術】
【０００２】
従来、真空ポンプ装置として、例えば吸気口部および排気口部を有する装置本体と、装置本体に軸受を介して回転可能に支持されたロータ軸と、ロータ軸に一体に設けられ装置本体の円筒状のロータ室内で偏心回転するロータと、ロータのスライド溝部にスライド可能に設けられた複数のベーンとを備え、モータ等の専用の駆動手段をロータ軸の端部に連結して使用するベーン型真空ポンプが知られている（例えば、特許文献１参照）。
【０００３】
そして、従来、例えば家庭用或いは業務用のエアコンの設置時において、室内機と室外機とを接続するフロンガス用配管内から空気を抜く場合には、前記従来のベーン型真空ポンプのような専用の駆動手段を必要とする大掛りな電動真空ポンプ装置を使用して真空引き作業をしたり、或いは、エアコン配管業者が自ら人力でロータを回転させる手動真空ポンプ装置を使用して真空引き作業をしていた。
【特許文献１】特公平４−２８９１９号公報
【発明の開示】
【発明が解決しようとする課題】
【０００４】
しかしながら、上記従来のように大掛りな電動真空ポンプ装置や手動真空ポンプ装置を使用して行う真空引き作業は、煩雑となりがちで、比較的手間が掛かるものであった。
【０００５】
本発明は、このような点に鑑みなされたもので、電動ドライバを利用することによって、エアコンのフロンガス用配管内から空気を抜く真空引き作業を容易に行うことができる携帯型真空ポンプ装置を提供することを目的とする。
【課題を解決するための手段】
【０００６】
請求項１記載の携帯型真空ポンプ装置は、エアコンのフロンガス用配管内から空気を抜く真空引き作業の際に使用する携帯型真空ポンプ装置であって、吸気口部および排気口部を有する装置本体と、電動ドライバが差し込まれる電動ドライバ差込口部を有し、前記装置本体に回転可能に設けられた回転体とを備えるものである。
【０００７】
請求項２記載の携帯型真空ポンプ装置は、請求項１記載の携帯型真空ポンプ装置において、回転体は、装置本体に回転可能に支持された回転軸を有し、前記回転軸の前記装置本体外に位置する軸方向端部に電動ドライバ差込口部が形成されているものである。
【発明の効果】
【０００８】
請求項１に係る発明によれば、電動ドライバを回転体の電動ドライバ差込口部に差し込み、電動ドライバを作動させることで回転体を回転させることができるため、エアコン配管業者は、通常持ち歩いている電動ドライバを利用することによって、エアコンのフロンガス用配管内から空気を抜く真空引き作業を容易に行うことができ、また、電動ドライバ20のみならず携帯型真空ポンプ装置自体も携帯可能であるから、持ち運びが容易である。
【０００９】
請求項２に係る発明によれば、回転体の回転軸の装置本体外に位置する軸方向端部に電動ドライバ差込口部が形成されているため、電動ドライバを電動ドライバ差込口部に簡単に差し込むことができる。
【発明を実施するための最良の形態】
【００１０】
本発明の一実施の形態に係る携帯型真空ポンプ装置を図面を参照して説明する。
【００１１】
図１ないし図３において、１は携帯型真空ポンプ装置で、この携帯型真空ポンプ装置１は、例えばエアコン配管業者が家庭用或いは業務用のエアコン（空気調節装置）のフロンガス用配管内から空気を抜く真空引き作業を行う際に使用する携帯可能な小型のベーンポンプユニットである。
【００１２】
携帯型真空ポンプ装置１は、外形略直方体状をなす装置本体２を備えている。装置本体２には円筒状のロータ室３が形成され、装置本体２には吸気口部４および排気口部５がそれぞれロータ室３に連通するように形成されている。吸気口部４内には、吸気弁６、この吸気弁６を受け止める弁座７、吸気弁６を弁座７側に向けて付勢するばね８、およびストレーナ９が配設されている。なお、装置本体２は、ケーシング胴体11、このケーシング胴体11に対して固定具等にてＯリング12を介して気密状に固定された２つのケーシング蓋体13等にて構成されている。
【００１３】
また、装置本体２には、電動ドライバ20からの回転力によって所定方向に回転して吸気口部４からの空気を圧縮するポンプ手段である回転体21が回転可能に設けられている。
【００１４】
回転体21は、装置本体２に回転可能に支持されロータ室３を貫通した状態で位置する回転軸であるロータ軸23を有している。ロータ軸23の装置本体２外に位置する軸方向端部、すなわち例えばロータ軸23のうち装置本体２の正面から突出する軸方向端部には、携帯可能な小型の電動ドライバ20が差し込まれる電動ドライバ差込口部24がそのロータ軸23の端面に凹状に形成されている。電動ドライバ差込口部24は、電動ドライバ20のドライバ部20aと嵌合する形状であって、例えばロータ軸23の軸方向に延びる六角形状に形成されている。
【００１５】
ロータ軸23のロータ室３内に位置する部分の外周側には、ロータ室３内で偏心回転するロータ25が一体に設けられている。ロータ25には複数、ロータ25の径方向に延びる２つのスライド溝部26が形成され、各スライド溝部26には矩形板状のベーン27がスライド可能に設けられている。これら２つのベーン27間には付勢手段であるばね28が配設され、このばね28の付勢力により各ベーン27の外端面が装置本体２におけるロータ室３に臨んだ内面に常時押し付けられている。なお、回転体21は、ロータ軸23、ロータ25、ベーン27、ばね28等にて構成されている。
【００１６】
次に、上記携帯型真空ポンプ装置１の動作等を説明する。
【００１７】
家庭用或いは業務用のエアコンの設置時において、室内機と室外機とを接続するフロンガス用配管内へフロンガスを充填する前に、そのフロンガス配管内から空気を抜く真空引き作業を行わなければならない。
【００１８】
駆動源を有しない携帯型真空ポンプ装置１を使用して真空引き作業をする場合、フロンガス配管と装置本体２の吸気口部４とを接続した後、電動ドライバ20のドライバ部20aを回転体21のロータ軸23の電動ドライバ差込口部24に差し込み、ドライバ部20aと電動ドライバ差込口部24とを互いに嵌合させる。
【００１９】
そして、電動ドライバ20の操作部20bをオン操作して電動ドライバ20を作動させると、電動ドライバ20のドライバ部20aが回転し、このドライバ部20aからロータ軸23に回転力が伝わり、ロータ25がベーン27とともにロータ室３内で回転する。
【００２０】
ロータ25がベーン27とともにロータ室３内で回転すると、吸気口部４からロータ室３内に入った空気は、所望の圧力まで圧縮された後、排気口部５から吐き出される。
【００２１】
このように携帯型真空ポンプ装置１によれば、電動ドライバ20を回転体21のロータ軸23の電動ドライバ差込口部24に差し込み、その電動ドライバ20を作動させることで回転体21のロータ25をロータ室３内で回転させることができるため、エアコン配管業者は、通常持ち歩いている電動ドライバ20を利用することによって、エアコンのフロンガス用配管内から空気を抜く真空引き作業を容易かつ効率的に行うことができる。
【００２２】
また、電動ドライバ20のみならず、携帯型真空ポンプ装置１自体も携帯可能であり、しかも従来品に比べて小型（例えば従来品の１／１０）であるから、かさばらずきわめて容易に持ち運びができる。
【００２３】
なお、上記実施の形態では、吸気弁６を有する構成について説明したが、図示しないが、吸気弁６を有しない構成でもよい。
【００２４】
また、板状のベーン27を有するベーンポンプには限定されず、歯車ポンプ等の他の種類のポンプにも適用することができる。
【図面の簡単な説明】
【００２５】
【図１】本発明の一実施の形態に係る携帯型真空ポンプ装置の断面図である。
【図２】同上携帯型真空ポンプ装置の断面図である。
【図３】同上携帯型真空ポンプ装置の正面図である。
【符号の説明】
【００２６】
１    携帯型真空ポンプ装置
２    装置本体
４    吸気口部
５    排気口部
20    電動ドライバ
21    回転体
23    回転軸であるロータ軸
24    電動ドライバ差込口部
【図１】
2007170243.tif 000003
【図２】
2007170243.tif 000004
【図３】
2007170243.tif 000005